(57)【要約】本発明は、セルフォンまたはネットワーク基地局内の予めセットされた消去コードおよび消去コマンドと、メモリチップ、好ましくはＥＥＰＲＯＭチップ上の禁止または消去回路とを用いて、セルフォンの所有者が、なくしたか盗まれた電話内のデータを消去可能にすることによって、セルフォンのメモリチップに入力された個人データの保護を可能にする。
2006524019.tif 000002
【特許請求の範囲】
【請求項１】
強化されたプライバシーを有するモバイルセルフォン装置において、
ａ）装置の識別番号を記憶するための第１のメモリと、
ｂ）前記識別番号によって、呼を送信かつ受信するための送／受信手段と、
ｃ）ＥＥＰＲＯＭ、フラッシュ、バッテリを有するＳＲＡＭ、およびＦＲＡＭのうちの１つから選択されるメモリデバイスであって、個人データのためのプログラマブルデータベース、および消去コードのための予め決められたアドレスを含んでいるメモリデバイスと、
ｄ）予め決められたロケーションで、予めセットされた消去コードを入力するための手段と、
ｅ）消去コードの受信時に前記データベースを消去するための消去手段とを備えていることを特徴とする装置。
【請求項２】
電気通信回路は、消去コードを受信する手段を有していて、前記消去手段は、予め決められたロケーションで、受信された消去コードを予めセットされた消去コードと比較する比較手段と、受信された消去コードと予めセットされた消去コードとの予め決められた関係に応じて、個人データのデータベースを消去する手段とを有していることを特徴とする請求項１に記載の装置。
【請求項３】
前記データベースを消去する手段は、データベースを永久に消去する禁止回路を有していることを特徴とする請求項２に記載の装置。
【請求項４】
前記禁止回路は、メモリを故障させる過度の電圧を供給することを特徴とする請求項３に記載の装置。
【請求項５】
前記データベースを消去する手段は、データベースをその電源から切り離すことを特徴とする請求項３に記載の装置。
【請求項６】
複数の個別モバイルセルフォン装置、およびモバイル電話スイッチング局を含むモバイル電気通信システムにおいて、強化された個別ユーザープライバシーを有するモバイルフォン装置は、請求項１の装置を備えていることを特徴とするシステム。
【請求項７】
個別装置と無線通信を行う少なくとも１つの基地局と、少なくとも１つの基地局と無線通信を行う少なくとも１つの無線チャンネル制御局とを更に備えていることを特徴とする請求項６に記載のモバイル電気通信システム。
【請求項８】
強化された個別ユーザープライバシーを有するモバイル電気通信システムにおいて、複数の個別モバイルセルフォン装置およびモバイル電話スイッチング局と、消去コードを含む個人データ、およびユニークな電話番号を記憶するためのＰＲＯＭを有する少なくとも１つの選択された装置とを備えていて、選択された電話装置に入力されたデータを保護するための方法は、
スイッチングネットワークから、選択された携帯電話装置でスイッチングネットワークからの消去コードを含むメッセージを受信し、
消去コマンドが個人データを消去することを特徴とするシステム。
【請求項９】
前記消去コマンドは、選択された装置に記憶されることを特徴とする請求項８に記載の強化された個別ユーザープライバシーを有するモバイル電気通信システム。
【請求項１０】
前記選択された装置は、電気通信回路を更に有していて、これは、メッセージの消去コードを装置の消去コードと比較して、もし一致していたら、選択された装置に消去コマンドを実行することを命令することを特徴とする請求項９に記載の強化された個別ユーザープライバシーを有するモバイル電気通信システム。
【請求項１１】
強化された個別ユーザープライバシーを有するモバイル電気通信システムにおいて、複数の個別モバイル電話装置およびモバイル電話スイッチング局と、個人データ、およびユニークな電話番号を記憶するためのＰＲＯＭを有する少なくとも１つの選択された装置とを備えていて、選択された電話装置に入力されたデータを保護するための方法は、
選択された装置からスイッチング局に消去コードを含むメッセージを送り、
ユニークな電話番号およびその消去コードを含むメッセージをスイッチング局に送り、
選択された携帯電話装置でスイッチングネットワークから禁止メッセージを受信し、
この禁止メッセージに応じて、消去コマンドが個人データを消去することを特徴とするシステム。
【請求項１２】
前記消去コマンドは、選択された装置に記憶されることを特徴とする請求項１１に記載のモバイル電気通信システム。
【請求項１３】
個人データをセルフォン内に記憶するためのメモリデバイスにおいて、加入者の身元情報、消去コードのためのアドレスを含むＳＩＭと、このアドレスで予めセットされた消去コードを入力する手段と、消去コードを含む無線信号を受信したら、個人データを消去する手段とを備えていることを特徴とするデバイス。
【請求項１４】
消去コードを直接その中に予めセットする手段は、メモリデバイスのＳＩＭを消去コード信号のＳＩＭと照合する手段を有していることを特徴とする請求項１３に記載のメモリデバイス。
【請求項１５】
前記メモリデバイスは、ＥＥＰＲＯＭ、フラッシュ、バッテリを有するＳＲＡＭ、およびＦＲＡＭのうちの１つから選択されることを特徴とする請求項１２に記載のメモリデバイス。
【請求項１６】
セルフォンのためのドックを備えるセルフォン再充電受け台において、前記ドックは、電話がドック内にあるとき、この電話に接続される再充電回路と、電話がドック内にあるとき、この電話に接続されるセルフォンインターフェース回路と、アップロード／ダウンロードセルフォンメモリデバイスとを備えていて、前記デバイスは、セルフォンのメモリ内の番号を受け台内の番号と比較するためのアプリケーションを含むマイクロコントローラを有していて、受け台に、電話内の全ての新しい番号をダウンロードし、かつ電話に、電話内にはない受け台内の全ての番号をアップロードすることを特徴とする受け台。
【請求項１７】
セルフォンのためのドックを備えるセルフォン再充電受け台において、前記ドックは、電話がドック内にあるとき、電話に接続される再充電回路を備えていて、前記受け台は、セルフォンメモリデバイスのためのアップロード／ダウンロードスロットを更に備えていて、前記スロットは、マイクロコントローラと、ドック内に置かれたセルフォンと通信するインターフェース回路とを有していることを特徴とする受け台。
【請求項１８】
セルフォンメモリデバイスのためのアップロード／ダウンロードスロットを更に備えていて、前記スロットは、マイクロコントローラと、ドック内に置かれたセルフォンのメモリと通信するインターフェース回路とを有していることを特徴とする請求項１７に記載のセルフォン再充電受け台。
【請求項１９】
セルフォンメモリデバイスのためのアップロード／ダウンロードスロットを更に備えていて、前記スロットは、マイクロコントローラと、受け台のメモリと通信するインターフェース回路とを有していることを特徴とする請求項１７に記載のセルフォン再充電受け台。
【発明の詳細な説明】
【技術分野】
【０００１】
本発明は、メモリを有するセルフォンと、セルフォンのメモリに入力される個人の所有者情報を保護するための方法および装置と、遠隔操作でセルフォンのメモリを消去するための電気通信ネットワークの使用とを目指している。
【背景技術】
【０００２】
現代の電気通信ネットワークは、ＳＩＭ（加入者識別モジュール）を含むスマートカード(SMARTCARD)を利用するセルフォンのような移動局を含んでいる。ＳＩＭは、カード所持者（すなわちサービス加入者）の身元情報、請求情報、および家の場所のようなデータが入っているメモリチップを有している。セルフォンのユーザーが電話をかけると、ＳＩＭは、ネットワークにユニークなＳＩＭコードを伝達する。ネットワークは、しばしば、ＳＩＭコードを、公認されたＳＩＭコードのリストと照合することによって、ＳＩＭコードの所有者が、ネットワークサービスへの現在の加入者であるかどうかをチェックする。このＳＩＭコードの認証または照合は、通常、セルフォンを用いた全ての他のネットワーク通信に先行する。
【０００３】
スマートカードの発達は、単純な通話以外のセルフォン機能を可能にした。スマートカードは、例えば、トランザクション管理、データの暗号化およびユーザー認証のために、マイクロプロセッサを内蔵することができる。スマートカードまたはＳＩＭは、加入者が入力した電話番号や他の貴重な情報を含むことができる。電話の盗難は、この貴重な情報が他人の手中に置かれることになる。実際、電話の紛失は、多分、その中に含まれている貴重な情報の紛失よりは重大ではないだろう。これは、特に、今やハンドヘルドコンピュータと結合されたセルフォンに近づいていて、約束のスケジューリングを行い、必要経費を管理するだけではなく、インターネットをブラウズし、パワーポイントプレゼンテーションを記憶し、基本的なワードプロセッシングを行う新しいセルフォンにあてはまる。
【０００４】
多くのセキュリティ機能が、セルフォンのために発達してきた。これらのほとんどは、盗まれた電話を永久に使用不可にするか、加入者の支払いが遅れている間、電話を一時的に使用不可にするか、または加入者の契約にはない地域への通話をブロックすることによって、通信サービスが盗まれることを防止することに関するものである。
【０００５】
米国特許第５，８９８，７８３号明細書は、特定の加入者のセルフォンのスマートカードを使用不可にすることができる禁止(disabling)回路を有する電気通信ネットワークを開示している。禁止(disable)コマンドは、ロジック回路に対する電源接続を破壊することによって、スマートカードを永久に無能力にすることができる。または、カード内のメモリを消去することによって、ロジック回路を永久に無能力にすることができる。この特許によれば、盗まれた電話の番号は、ネットワークに報告され、セルフォンがサービスを要求したときに検索されるデータベースに入力される。そして、もしその番号が禁止データベースの中にあれば、禁止コマンドまたは信号がセルフォンに返される。この発明においては、加入者は、追加のステップおよびネットワークの介入なしで、個人情報が入っているメモリを消去し、加入者に、彼らの個人情報を保護するためのより大きい自由および機会を与えている。
【０００６】
米国特許第５，７３４，９７８号明細書は、各セルフォンに記憶される製造業者が予めセットした破壊コードを有する電気通信システムについて述べている。加入者が、電話が盗まれたことを報告すると、ネットワークの基地局制御器プログラムは、破壊コードを用いる。破壊コードは、電話機能を実行するのに必要なデータを破壊するが、個人データは破壊しない。
【０００７】
米国特許第６，２５９，９０８号明細書は、セルラーフォンシステムについて述べていて、この中で、特定のセルフォン上のロックコードは、セルフォンシステムを通して送られるメッセージによって消去することができるが、その電話のキーボード機能を用いて消去または変更することはできない。この構成は、多くのユニットを有する所定のセルラーシステム、例えば大都会の消防署のための通信ネットワークにおいて、特定の有用性を有している。ネットワークをセットアップまたは再構成するためには、全ネットワークを作動させ、かつ個別ユニット（セルフォン）に特定の番号を割り当てなければならない。この特許によれば、システム上の全ての電話は、全てのユニットが割り当てられるまで阻止を行うロックコードを有している。これは、通信システムのサービスが盗まれることを防止するための加入者システムアプローチであり、個々の加入者のデータのプライバシーに関することではない。
【特許文献１】米国特許第５，８９８，７８３号明細書
【特許文献２】米国特許第５，７３４，９７８号明細書
【特許文献３】米国特許第６，２５９，９０８号明細書
【発明の開示】
【課題を解決するための手段】
【０００８】
本発明の目的は、無線信号を用いて、所有者が、そのデータを消去または破壊することを可能にすることによって、セルフォンに、その所有者によって入力された個人データを保護することである。本発明によれば、個人データが記録されるセルラーフォンのメモリチップは、消去手段を備えていてもよい。この消去手段は、禁止または消去回路内に、ヒューズ、スイッチ、または類似のデバイスを含んでいてもよい。消去手段は、所有者によって予めセットされた消去コードと一致する無線消去コードを受信すると、消去コマンドを実行する。もし携帯電話をなくしたか盗まれたら、所有者は、なくしたか盗まれた電話の番号に電話をかけ、消去コードを入力するだけでよい。個人データは消去される。従って、所有者は、家族、友人および同僚の電話番号および住所を保護することができる。もし所有者が電話を置き忘れたと思うならば、彼は、なくした電話が見つかったときのために、電話機能を使用不可にすることなく、個人情報を破壊することができる。
【０００９】
また、本発明の目的は、セルフォン所有者のデータのプライバシーおよび保全性を保つことに加えて、新しいセルフォンへのその転送を容易にすることである。個人データの保全性は、新しい再充電受け台またはステーションを用いて保つことができる。本発明によれば、セルフォン再充電受け台またはステーションは、受け台とドッキングされる電話と通信するＰＣＭＣＩＡカードのようなメモリデバイスのためのスロットを組み込んでいてもよい。電話が再充電のために受け台に置かれるたびに、ＰＣＭＣＩＡカードは、電話のメモリのチェックサムを行う。もし番号または他のデータが電話に入力されていたならば、カードは、カードが常に更新されるように、その情報をダウンロードする。新しい電話がベースステーションで充電されるとき、チェックサムが開始され、前の電話に入力された全ての個人データは、あなたの新しい電話に自動的にアップロードされる。このシステムを用いて、もしユーザーが、他の誰かが彼らの番号を入手して欲しくないのであれば、彼らは、電話からＰＣＭＣＩＡカードを取り去るのみでよい。また、バックアップカードは、移動の際に、紙入れに入れて容易に運ぶことができる。
【００１０】
これらの目的は、以下の説明から明らかになる他の目的と同じく、本発明によって達成される。本発明は、消去手段を有するセルフォンプログラマブルメモリチップと、その中にドッキングされたセルフォンからデータをアップロードし、または前記セルフォンにデータをダウンロードすることができる、例えばＰＣＭＣＩＡカードのためのスロットを有する再充電受け台と、セルフォン装置とを備えている。このセルフォン装置は、ａ）装置のユニークな識別番号を記憶するための第１のメモリと、ｂ）前記識別番号によって、呼を送信かつ受信するための送／受信手段と、ｃ）データのためのプログラマブルデータベース、および消去コードのための予め決められたアドレス（またはメモリのロケーション）を含んでいるＥＥＰＲＯＭと、ｄ）予め決められたロケーションで、消去コードを入力するための手段と、ｅ）消去コードの受信時に前記データベースを消去するための消去手段とを備えている。
【００１１】
これらの目的は、また、モバイル電気通信システム上の選択されたセルフォンに記憶された個人データを保護するための本発明の方法によって達成される。モバイル電気通信システムは、複数の個別モバイルセルフォン装置およびモバイル電話スイッチング局と、消去コードを含む個人データ、およびユニークな電話番号を記憶するためのＰＲＯＭを有する前記少なくとも１つの選択された装置とを備えている。前記方法は、選択された携帯電話装置で、スイッチングネットワークから、スイッチングネットワークからの消去コードを含むメッセージを受信し、個人データを消去することを含んでいる。
【００１２】
本発明の十分な理解のために、添付の図面と共に、以下の本発明の好適な実施形態の詳細な説明を参照すべきである。
【発明を実施するための最良の形態】
【００１３】
以下、図１〜４を参照して本発明の好ましい実施形態を説明する。いくつかの図面における同一の構成要素は、同じ参照番号によって示されている。
【００１４】
図１に示すように、セルフォン１０は、セルフォンと協働して図３に示したような電気通信ネットワークとの通信を行うスマートカード１１を受け入れる。このスマートカードは、ＳＩＭ（加入者識別モジュール）を含んでいる。スマートカードは、電気通信システムのユーザーを識別し、ネットワーク上で許可されたものとしてユーザーを認証するのに役立つ。スマートカードは、また、セルフォン１０と電気通信ネットワークとの間の通信を暗号化することができる。セルフォンの英数字キー１２は、セルフォンのメモリに情報を入力するために用いることができ、かつ消去コードを入力するための好適な手段である。
【００１５】
図示されたスマートカードの構成要素としては、データ通信回路と、ロジック回路と、禁止または消去回路とを備えている。データ通信回路２０は、スマートカードをユニークに識別するコードを送る。本実施形態におけるロジック回路２１は、データ処理および記憶回路および相互接続回路を有していて、以下のものに限定されるわけではないが、プロセッサ、メモリ、サポート回路、および任意のアドレス、データおよび制御バス（図示していない）を含んでいる。本発明の一実施形態において、ロジック回路は、セルフォンと電気通信ネットワークとの間の通信を暗号化する。セルフォンが発達すると、このロジック回路は、本発明にとって不可欠なロジック回路の機能に影響することなく、ますます多くの機能を実行するために用いられるかもしれない。
【００１６】
カードは、禁止回路２２を備えていて、これは、例えば、カードのメモリを永久に消去することができる。禁止回路は、ヒューズまたはスイッチを有していてもよく、これは、例えば、カード内のメモリから電源を切り離すように動作する。メモリを効果的に消去する他の手段は、当業者には知られているが、例えば、メモリがまだ電源を受け取っていても、過度の電圧を供給することによってメモリを故障させたり、または電源から回路を切り離すことによって回路を永久に無能力にする。
【００１７】
電気通信ネットワークのブロック図が、図３に示されている。電気通信ネットワーク３０は、加入者識別モジュールを持つカード１１を有する複数のセルフォン１０と通信可能である。各カードは、ユニークなＳＩＭコードを有している。ネットワークへのアクセスの開始時に、ＳＩＭコードは、ネットワーク３０に送信され、ネットワーク３０は、データ通信回路３１を有していて、このＳＩＭコードを受信する。本発明の一実施形態において、ネットワークは、また、ユニークなＳＩＭコードに関する消去コードを受信かつ記憶するためのＰＲＯＭまたはＥＥＰＲＯＭを有していてもよい。本発明の別の実施形態においては、データ通信回路３１が、消去コマンドを含んでいてもよい。
【００１８】
以下、本発明の方法および装置の動作を説明する。スマートカードのユーザーは、英数字キー１２を用いて、メモリに消去コードを入力して記憶させ、電話の個人データを消去可能にする。本発明の好適な実施形態によれば、任意の選択されたセルフォンのための消去コードは、その電話のキーパッドを用いて電話に直接入力することができるのみである。消去コードは、スマートカード上のメモリに記憶されてもよいし、ネットワークに転送されて、ネットワーク上に記憶されてもよい。特定のスマートカードまたはＳＩＭのための消去コードは、異なるＳＩＭを有するセルフォンからの無線信号によって予めセットまたは変更することはできない。消去コマンドは、カードのデータ通信回路内に含まれていてもよいし、ネットワーク上にあってもよい。
【００１９】
もしセルフォンを盗まれるかなくしたら、ユーザーは、別のセルフォンまたは地上通信線を用いて、盗まれたかなくしたセルフォンの番号に電話をかけ、消去コードを入力すればよい。ネットワークおよびなくした電話のデータ通信回路は、無線通信における消去コードを、予めセットされ記憶されていた消去コードと「照合する」。「照合」は、予めセットされていた消去コードと受信した消去コードとの間での、文字の正確な一致を意味していてもよいし、特定の関係を必要とする正確なマッピングを意味していてもよい。もし一致していたら、消去コマンドが発せられ、盗まれたかなくしたセルフォン内の個人データは消去される。消去コマンドを実行するための回路は、セルフォンの中にある。
【００２０】
本発明は、消去コードのネットワークデータベースを必要とせず、際立った個人のプライバシーを可能にする。加えて、ユーザーは、ネットワーク上の禁止コマンドにアクセスする必要がない。ユーザーのために、彼の個人データのためのメモリを使用不可にする目的で、使用不可の番号のデータベースが、ネットワークによって、かつネットワークで、組み立てられ、維持される必要はない。消去コードがセルフォン内に記憶されていれば、それは直ちに動作可能である。加えて、それは直ちに変更することができる。セルフォンに入力されるデータのプライバシーは、重要性を増している。新しい電話は、インターネットテキストメッセージング、電子メール、およびウェブサーフィンおよびダウンロードを組み込んでいる。今や、複雑な交渉を、セルフォンを通して行うことができる。加えて、セルフォンは、ワードプロセッシングを含む、ハンドヘルドコンピュータおよびオーガナイザー(organizer)と結合されている。全契約(contracts)を、電気通信ネットワーク上のセルフォンを含むハンドヘルド装置上で、記録し、送信し、または受信することができる。
【００２１】
図４は、本発明による再充電受け台４２の好ましい実施形態を示していて、これは再充電回路４３を備えている。図４に示したように、電話がドック内にあるとき、受け台は電話１０に接続される。また、受け台の中には、セルフォンインターフェース回路４４も備えられていて、これはアップロード／ダウンロードセルフォンメモリデバイスを含んでいる。マイクロコントローラ４５を備えていて、これは、ＣＰＵと、メモリと、ＩＯ（入出力）と、プログラムまたはアプリケーションとを含んでいる。プログラムは、本発明の一部である、消去可能なフラッシュ／ＥＥＰＲＯＭ／ＳＲＡＭ記憶メモリ４６のような、ここで示した電話メモリ内のメモリを、チェックサム動作と同時に、受け台内のメモリと比較する。そして、電話に追加された全ての番号を受け台のメモリにダウンロードし、かつ電話内にない受け台のメモリ内の全ての番号を電話にアップロードする。
【００２２】
図４に示したように、再充電受け台は、バックアップセルフォンメモリデバイス４８のためのアップロード／ダウンロードスロット４７を更に備えていてもよい。スロットは、マイクロコントローラと、ドッキングされたセルフォン内のメモリまたは図示したような受け台内のメモリと通信するインターフェース回路とを含んでいる。バックアップメモリデバイスは、例えばＰＣＭＣＩＡカードのような、新しい電話の中へ挿入するのに適している、いかなる装置であってもよい。図４に示したように、このＰＣＭＣＩＡカードは、消去可能なメモリを備えている。
【００２３】
これらのバックアップデバイスは、セルフォンの個人データの保全性を保つための非常に便利な手段を提供する。もしセルフォンを盗まれるかなくしても、記憶された個人データを回復する試みがとられるのに、ごく短時間しか必要とせず、個人データは直ちに消去される。なぜなら、複製が受け台内およびオプションとしてバックアップＰＣＭＣＩＡ上にあるからである。バックアップＰＣＭＣＩＡは、移動の際に、紙入れに容易に格納され、新しいセルフォンの中に置かれてもよい。または、このＰＣＭＣＩＡカードは、受け台内に保持され、その中のデータが、受け台にドッキングさせた新しいセルフォンに転送されてもよい。もし新しいセルフォンが最初に充電しなければならないのであれば、ＰＣＭＣＩＡカードスロットを有する受け台での充電は、新しいセルフォンに全ての個人データを入力する。
【００２４】
本発明の別の態様において、セルフォンのための新規な再充電受け台は、セルフォンのための個人データの保全性を保つための、例えばＰＣＭＣＩＡカードのような、追加のメモリデバイスまたはカードを受け入れるためのアップロード／ダウンロードスロットを備えていてもよい。このスロットは、マイクロコントローラと、クリスタルと、スロット内のメモリデバイスと電話内のメモリデバイスとを接続するインターフェース回路とを含んでいる。ひとたびスロット内に置かれると、例えばＰＣＭＣＩＡカードは、受け台にドッキングされたセルフォンと通信する。受け台にセルフォンをドッキングさせると、チェックサムが開始され、セルフォンからの全ての新しいデータがＰＣＭＣＩＡカードに追加される。それで、たとえセルフォンを盗まれるかなくしたとしても、記憶された個人データの回復のための時間を割り当てる必要はなく、個人データは直ちに消去される。なぜなら、複製が予備のＰＣＭＣＩＡ上にあるからである。予備のＰＣＭＣＩＡは、移動の際に、紙入れに容易に格納され、新しいセルフォンの中に置かれてもよい。または、このＰＣＭＣＩＡカードは、受け台内に保持され、その中のデータが、受け台にドッキングさせた新しいセルフォンに転送されてもよい。もし新しいセルフォンが最初に充電しなければならないのであれば、ＰＣＭＣＩＡカードスロットを有する受け台での充電は、新しいセルフォンに全ての個人データを入力する。
【００２５】
当業者であれば、本発明は、ハードウェアで具体化することができる一方で、別の実施形態は、ソフトウェアまたはファームウェア、またはその組み合わせを有していてもよいことを理解するはずである。このような実施形態は、従来の処理回路、例えば、以下のものに限定されるわけではないが、プログラマブルアレイロジック（ＰＡＬ）、デジタルシグナルプロセッサ（ＤＰＳ）、フィールドプログラマブルゲートアレイ（ＦＰＧＡ）、特定用途向け集積回路（ＡＳＩＣ）、大規模集積回路（ＬＳＩ）を用いて実施されてもよい。さらに、本実施形態は、例を示す目的のみのために紹介され、ＳＩＭカードを使用不可にするためのシステムおよび方法を提供する他の実施形態は、本発明の幅広い範囲内に十分に入っている。従来のコンピュータ、および処理、システムアーキテクチャは、MacMillan Publishing Co.のComputer Organization and Architecture（第３版、１９９３年）の中で、William Stallingsによって、より十分に論じられている。従来の処理システムネットワーク設計は、McGraw-Hill, Inc.のData Network Design（１９９３年）の中で、Darren L. Spohnによって、より十分に論じられている。従来の音声およびデータ通信は、Plenum PressのData les（１９９２年）の中で、R. D. Gitlin、J. F. HayesおよびS. B. Weinsteinによって、Irwin Professional PublishingのThe Irwin Handbook of Telecommunications（第２版、１９９２年）の中で、James Harry Greenによって、そしてMcGraw-HillのVoice & Data Communications Handbook（１９９６年）の中で、Regis J. Bates, Jr.およびDonald Gregoryによって、より十分に論じられている。従来の電子回路設計は、Cambridge University PressのThe Art of Electronics（第２版、１９８９年）の中で、Paul HorowitzおよびWinfield Hillによって、より十分に論じられている。従来の制御システムおよびアーキテクチャは、Prentice HallのModern Control Engineering（１９９０年）の中で、Katsuhiko Ogataによって、論じられている。前述の刊行物の各々は、ここで参照される。
【００２６】
このように、セルフォンのメモリ内の個人データの保全性を保護かつ保持するための新規な方法および装置を図示かつ説明してきたが、それは、そのために要求された全ての目的および効果を成し遂げる。しかし、本発明の多くの変更、修正、変形および他の用途および応用は、その好ましい実施形態を開示している、この明細書および添付の図面を考慮した後では、当業者にとって明らかである。本発明の精神および範囲から逸脱しない、全てのこのような変更、修正、変形および他の用途および応用は、本発明によってカバーされると考えられ、本発明は、添付の請求項によってのみ限定されるべきである。
【図面の簡単な説明】
【００２７】
【図１】セルフォン、またはモバイル電気通信装置、およびその中に受け入れられて、セルフォンと協働して電気通信ネットワークとの通信を行うスマートカードを示している。
【図２】本発明の原理によるスマートカードのブロック図を示している。
【図３】スマートカードと協働して電気通信ネットワークとの通信を行う複数のセルフォンと通信可能な電気通信ネットワークのブロック図を示している。
【図４】本発明の一実施形態によるセルフォン再充電受け台のブロック図を示している。
【符号の説明】
【００２８】
１０  セルフォン
１１  スマートカード
１２  英数字キー
２０  データ通信回路
２１  ロジック回路
２２  禁止回路
３０  電気通信ネットワーク
３１  データ通信回路
【図１】
2006524019.tif 000003
【図２】
2006524019.tif 000004
【図３】
2006524019.tif 000005
【図４】
2006524019.tif 000006
【国際調査報告】
2006524019.tif 000007
2006524019.tif 000008